(57)【要約】  各々が喫煙物品の個別の束を収容するための少なくとも２つのヒンジ留め接続されたパックを含む喫煙物品のための容器。容器は、第１の壁を有する第１のパックと、第１の壁を有する第２のパックと、個別のコネクタ（１０）とを含む。個別のコネクタは、対向する第１及び第２の縁部を備えた第１のパネル（１２）と、第１の縁部に沿って第１のパネル（１２）にヒンジ留め接続された第１のサブパネル（１６）及び第１の折り畳み線に沿って第１のサブパネル（１４）にヒンジ留め接続された第２のサブパネル（１８）を含む第２のパネル（１４）と、第２の縁部に沿って第１のパネル（１２）にヒンジ留め接続された第１のサブパネル（２２）及び第２の折り畳み線に沿って第１のサブパネル（２２）にヒンジ留め接続された第２のサブパネル（２４）を含む第３のパネル（２０）とを含む。個別のコネクタ（１０）の第１のパネル（１２）は、第１のパックの第１の壁に固定され、個別のコネクタ（１０）の第２のパネル（１４）及び第３のパネル（２０）の第２のサブパネル（１４、２４）は、第２のパックの第１の壁に固定される。【選択図】図１
2010534165.tif 000002
【特許請求の範囲】
【請求項１】
各々が喫煙物品の個別の束を収容するための少なくとも２つのヒンジ留め接続されたパックを含む喫煙物品のための容器であって、
第１の壁を有する第１のパックと、
第１の壁を有する第２のパックと、
対向する第１及び第２の縁部を備えた第１のパネル（１２）、
前記第１の縁部に沿って前記第１のパネル（１２）にヒンジ留め接続された第１のサブパネル（１６）と第１の折り畳み線に沿って該第１のサブパネル（１４）にヒンジ留め接続された第２のサブパネル（１８）とを含む第２のパネル（１４）、及び
前記第２の縁部に沿って前記第１のパネル（１２）にヒンジ留め接続された第１のサブパネル（２２）と第２の折り畳み線に沿って該第１のサブパネル（２２）にヒンジ留め接続された第２のサブパネル（２４）とを含む第３のパネル（２０）、
を含む個別のコネクタ（１０）と、
を含み、
前記個別のコネクタ（１０）の前記第１のパネル（１２）は、前記第１のパックの前記第１の壁に固定され、該個別のコネクタ（１０）の前記第２（１４）及び第３（２０）のパネルの前記第２のサブパネル（１４、２４）は、前記第２のパックの前記第１の壁に固定される、
ことを特徴とする容器。
【請求項２】
前記個別のコネクタ（１０）は、
前記第１の縁部に沿って前記第１のパネル（１２）にヒンジ留め接続された第１のサブパネル（１６）と第３の折り畳み線に沿って該第１のサブパネル（１４）にヒンジ留め接続された第２のサブパネル（１８）とを含む第４のパネル（１４）、
を更に含み、
前記個別のコネクタの前記第４のパネル（１４）の前記第２のサブパネル（１８）は、前記第２のパックの前記第１の壁に固定される、
ことを特徴とする請求項１に記載の容器。
【請求項３】
前記第１のパック及び前記第２のパックは、スライド及びシェル式パックであることを特徴とする請求項１から請求項２のいずれか１項に記載の容器。
【請求項４】
前記第１のパック及び前記第２のパックは、ヒンジ蓋パックであることを特徴とする請求項１から請求項３のいずれか１項に記載の容器。
【請求項５】
前記第１のパックは、該第１のパックの前記第１の壁にわたって延びるヒンジ線の周りでピボット回転可能なヒンジ蓋を有し、前記第２のパックは、該第２のパックの前記第１の壁にわたって延びるヒンジ線の周りでピボット回転可能なヒンジ蓋を有することを特徴とする請求項４に記載の容器。
【請求項６】
前記第１のパックは、該第１のパックの前記第１の壁に平行かつ対向する該第１のパックの第２の壁にわたって延びるヒンジ線の周りでピボット回転可能なヒンジ蓋を有し、前記第２のパックは、該第２のパックの前記第１の壁に平行かつ対向する該第２のパックの第２の壁にわたって延びるヒンジ線の周りでピボット回転可能なヒンジ蓋を有することを特徴とする請求項４に記載の容器。
【請求項７】
前記第１のパック及び前記第２のパックは、異なる寸法のものであることを特徴とする請求項１から請求項６のいずれか１項に記載の容器。
【発明の詳細な説明】
【技術分野】
【０００１】
本発明は、各々が喫煙物品の個別の束を収容するための少なくとも２つのヒンジ留め接続されたパックを含む喫煙物品のための容器に関する。
【背景技術】
【０００２】
ＷＯ−Ａ−２００６／０７９７９９は、少なくとも第１及び第２のストラップ及びブランクによって縄ばしご配列に接続された２つのパックを含むパッケージ、及びそのようなパッケージを形成する方法を開示している。
一態様では、ＷＯ−Ａ−２００６／０７９７９９は、各々が第１の縁部及び第１の縁部と平行な第２の縁部によって拘束された第１の面を有し、かつ各々が品目を収容することができる第１及び第２のパックと、第１及び第２のパックに取り付け可能な第１及び第２のストラップを含み、かつ第１及び第２のパックを接続する手段とを含み、パックの第１の位置において、第１及び第２のパックの第１の面が、互いに面しており、第１及び第２のパックの第１の縁部が互いに隣接し、第１及び第２のパックの第２の縁部が互いに隣接し、第１及び第２のストラップが、第１の面にわたって延び、かつ第１及び第２の縁部の周りにヒンジ留めされ、第１のストラップが、第１のパックの第１の縁部の周りにヒンジ留めされ、かつ第２のパックの第２の縁部の周りにヒンジ留めされ、第２のストラップが、第１のパックの第２の縁部の周りにヒンジ留めされ、かつ第２のパックの第１の縁部の周りにヒンジ留めされ、それによって第１及び第２のパックが、少なくとも第１の位置と、第１の縁部の周りで第１のパックに対して第２のパックが回転された第２の位置と、第２の縁部の周りで第１のパックに対して第２のパックが回転された第３の位置との間で一方が他方に対して移動可能であるパッケージを説明している。
【０００３】
別の態様では、ＷＯ−Ａ−２００６／０７９７９９は、パッケージの第１及び第２のパックを接続する第１及び第２のストラップを含む手段を形成するためのブランクを説明しており、これは、第１のストラップを設ける少なくとも第１の領域と第２のストラップを設ける第２の領域とを有する材料の単一シートを含み、これらの領域は、第２の領域から第１の領域を分離するように作動可能な線によって接合されており、この線は、そこに第１、第２、及び第３の区画を有し、第２の区画は、脆弱化された区画であり、そのために第１及び第２の領域は、分離可能であり、かつ第１及び第２の区画は、脆弱化された区画のそれぞれの端部からシートの縁部まで延びる切り離し部分になる。
【０００４】
更に別の態様では、ＷＯ−Ａ−２００６／０７９７９９は、パッケージの第１及び第２のパックを接続する第１及び第２のストラップを含む手段を形成するための個別のブランクを説明しており、これは、離間した主要な縁部を有する細長い孔がある第１の細長い区画と、この孔と整列して第１の区画の副次的な縁部から延びる第２の区画とを有する材料の単一シートを含み、第２の区画は、第２の区画の自由な副次的縁部が孔を通して縫うように進むことができ、かつ第１の区画の自由な副次的縁部に取り付くことができるように、孔の最小幅と実質的に等しいか又はそれ未満の最大幅と孔の長さよりも大きい長さとを有する。
【０００５】
ＷＯ−Ａ−２００６／０７９７９９の明細書に説明されてその図面に示されたパッケージの全ての第１及び第２のパックは、個別の接合ブランクにより又は個別の縄ばしご構造により縄ばしご配列で接続されている。パッケージを製造するために、個別の接合ブランクは、第１及び第２のパックに固定されるか、又は第１及び第２のパックは、個別の縄ばしご構造で区画を収容している２つのパック内に位置決めされ、一部の例では、その２つのパックに固定される。
【先行技術文献】
【特許文献】
【０００６】
【特許文献１】ＷＯ−Ａ−２００６／０７９７９９
【特許文献２】ＵＳ−Ａ−５，６９２，５２５
【発明の概要】
【発明が解決しようとする課題】
【０００７】
簡単な方法で製造することができる縄ばしご又は類似の配列で接続された２つ又はそれよりも多くのパックを含む容器を提供することが望ましいと考えられる。
【課題を解決するための手段】
【０００８】
本発明により、各々が喫煙物品の個別の束を収容するための少なくとも２つのヒンジ留め接続されたパックを含む喫煙物品のための容器を提供し、容器は、第１の壁を有する第１のパックと、第１の壁を有する第２のパックと、対向する第１及び第２の縁部を備えた第１のパネル、第１の縁部に沿って第１のパネルにヒンジ留め接続された第１のサブパネルと第１の折り畳み線に沿って第１のサブパネルにヒンジ留め接続された第２のサブパネルとを含む第２のパネル、及び第２の縁部に沿って第１のパネルにヒンジ留め接続された第１のサブパネルと第２の折り畳み線に沿って第１のサブパネルにヒンジ留め接続された第２のサブパネルとを含む第３のパネルを含む個別のコネクタとを含み、この個別のコネクタの第１のパネルは、第１のパックの第１の壁に固定され、この個別のコネクタの第２及び第３のパネルの第２のサブパネルは、第２のパックの第１の壁に固定される。
【０００９】
本発明による容器の第１のパック及び第２のパックは、最初の位置と第２の位置との間で個別のコネクタの第１のパネルの第１の縁部の周りに互いに対してヒンジ留め可能である。最初の位置では、この個別のコネクタの第１のパネルの第１の縁部と第２の折り畳み線とは隣接しており、この個別のコネクタの第１のパネルの第２の縁部と第１の折り畳み線とは隣接している。最初の位置では、この個別のコネクタの第２及び第３のパネルの第１のサブパネルは、この個別のコネクタの第１のパネルの上に重なり、この個別のコネクタの第２及び第３のパネルの第２のサブパネルは、この個別のコネクタの第２及び第３のパネルのそれぞれの第１のサブパネルの上に重なっている。
【００１０】
第２の位置では、この個別のコネクタの第１のパネルの第１の縁部と第２の折り畳み線とは、隣接しており、この個別のコネクタの第１のパネルの第２の縁部と第１の折り畳み線とは、離間している。第２の位置では、この個別のコネクタの第３のパネルの第１のサブパネルは、この個別のコネクタの第１のパネルの上に重なり、この個別のコネクタの第２のパネルの第１のサブパネルは、この個別のコネクタの第２のパネルの第２のサブパネルの上に重なっている。
【００１１】
本発明の第３の態様による容器の第１のパック及び第２のパックはまた、最初の位置と第３の位置の間で個別のコネクタの第１のパネルの第２の縁部の周りに互いに対してヒンジ留め可能である。第３の位置では、この個別のコネクタの第１のパネルの第２の縁部と第１の折り畳み線とは、隣接しており、この個別のコネクタの第１のパネルの第１の縁部と第２の折り畳み線とは、離間している。第３の位置では、この個別のコネクタの第２のパネルの第１のサブパネルは、この個別のコネクタの第１のパネルの上に重なり、この個別のコネクタの第３のパネルの第１のサブパネルは、この個別のコネクタの第３のパネルの第２のサブパネルの上に重なっている。
【００１２】
最初の位置では、第１及び第２のパックの第１の壁は、平行かつ対向しており、第２及び第３の位置では、第１及び第２のパックの第１の壁は、実質的に同一平面にある。
本発明による容器の第１のパック及び第２のパックは、従って、個別のコネクタの第２及び第３のパネルによって縄ばしご配列で有利にヒンジ留め接続される。
【００１３】
好ましくは、個別のコネクタの第１のパネルの第１及び第２の縁部は、この個別のコネクタの第１のパネルの縦方向縁部である。
第１の折り畳み線は、好ましくは、個別のコネクタの第１のパネルの第２の縁部と実質的に平行である。第２の折り畳み線は、好ましくは、この個別のコネクタの第１のパネルの第１の縁部と実質的に平行である。
好ましくは、個別のコネクタの第１のパネルの対向する第１及び第２の縁部は、第１のパックの第１の壁の対向する第１及び第２の縦方向縁部と平行かつ隣接している。より好ましくは、このコネクタの第１のパネルの対向する第１及び第２の縁部は、第１のパックの第１の壁の対向する第１及び第２の縦方向垂直縁部と平行かつ隣接している。
【００１４】
好ましくは、第２の折り畳み線は、第２のパックの第１の壁の第１の縦方向縁部と実質的に平行かつ隣接しており、第１の折り畳み線は、第２のパックの第１の壁の対向する第２の縦方向縁部と実質的に平行かつ隣接している。より好ましくは、第２の折り畳み線は、第２のパックの第１の壁の第１の縦方向垂直縁部と実質的に平行かつ隣接しており、第１の折り畳み線は、第２のパックの第１の壁の対向する第２の縦方向垂直縁部と実質的に平行かつ隣接している。
【００１５】
本発明の好ましい実施形態では、個別のコネクタは、更に、第１の縁部に沿って第１のパネルにヒンジ留め接続された第１のサブパネルと、第３の折り畳み線に沿って第１のサブパネルにヒンジ留め接続された第２のサブパネルとを含む第４のパネルを含み、この個別のコネクタの第４のパネルの第２のサブパネルは、第２のパックの第１の壁に固定される。
最初の位置では、個別のコネクタの第２、第３、及び第４のパネルの第１のサブパネルは、この個別のコネクタの第１のパネルの上に重なり、この個別のコネクタの第２、第３、及び第４のパネルの第２のサブパネルは、この個別のコネクタの第２、第３、及び第４のパネルのそれぞれの第１のサブパネルの上に重なり、第３のパネルの第１のサブパネルは、第２及び第４のパネルの第１のサブパネル間に配置されている。
【００１６】
本発明による容器の第１のパック及び第２のパックの一方又は両方は、外側シェル及び外側シェル内の内側スライドを含むスライド及びシェル式パックとすることができる。代替的に又は付加的に、本発明の第１の態様による容器の第１のパック及び第２のパックの一方又は両方は、下部箱部分と下部箱部分にヒンジ留めされた上部蓋部分とを含むヒンジ蓋パックとすることができる。
第１のパックがスライド及びシェル式パックの場合、個別のコネクタの第１のパネルは、好ましくは、第１のパックの第１の壁と実質的に同じ寸法である。第２のパックがスライド及びシェル式パックの場合、この個別のコネクタの第２のパネル、第３のパネル、及びあらゆる更に別のパネルの第２のサブパネルは、組合せて、好ましくは、第２のパックの第１の壁と実質的に同じ寸法である。
第１のパックがヒンジ蓋パックの場合、個別のコネクタの第１のパネルは、好ましくは、第１のパックの第１の壁の下部箱部分と実質的に同じ寸法である。第２のパックがヒンジ蓋パックの場合、この個別のコネクタの第２のパネル、第３のパネル、及びあらゆる更に別のパネルの第２のサブパネルは、組合せて、好ましくは、第２のパックの第１の壁の下部箱部分と実質的に同じ寸法である。
【００１７】
好ましくは、本発明による容器の第１のパック及び第２のパックは、両方ともスライド及びシェル式パックか又は両方ともヒンジ蓋パックである。しかし、本発明による容器が、異なる種類の開閉手段が設けられた第１のパック及び第２のパックを含むことができることは認められるであろう。例えば、第１のパックをヒンジ蓋パックとし、第２のパックをスライド及びシェル式パックとすることができる。
本発明による容器の第１のパック及び第２のパックの両方がヒンジ蓋パックの場合、第１のパックは、第１のパックの第１の壁にわたって延びるヒンジ線の周りでピボット回転可能なヒンジ蓋を有することができ、第２のパックは、第２のパックの第１の壁にわたって延びるヒンジ線の周りでピボット回転可能なヒンジ蓋を有することができる。
【００１８】
本発明の代替実施形態では、第１のパックは、第１のパックの第１の壁に平行かつ対向する第１のパックの第２の壁にわたって延びるヒンジ線の周りでピボット回転可能なヒンジ蓋を有することができ、第２のパックは、第２のパックの第１の壁に平行かつ対向する第２のパックの第２の壁にわたって延びるヒンジ線の周りでピボット回転可能なヒンジ蓋を有することができる。
好ましくは、個別のコネクタの第１のパネルは、第１のパックの第１の壁に接着され、この個別のコネクタの第２のパネル、第３のパネル、及びあらゆる更に別のパネルの第２のサブパネルは、例えば、ホットメルト接着剤、接触接着剤、又は両面接着テープを用いて第２のパックの第１の壁に接着される。しかし、本発明による容器の個別のコネクタをその第１及び第２のパックの第１の壁に固定するために、例えば、マジックテープ式ファスナ、磁石式ファスナ、又は嵌め合わせプラグ（雄）及びソケット（雌）式ファスナのような多様な他の公知の手段を使用することができることは認められるであろう。
【００１９】
本発明による容器は、好ましくは、第１及び第２のパックを最初の位置から第２の位置まで及び最初の位置から第３の位置まで互いに対してヒンジで移動させるために消費者によって正の力を提供するべきであるように、最初の位置から第２の位置まで及び最初の位置から第３の位置までの第１及び第２のパックの移動に抵抗する保持手段を更に含む。必要に応じて、本発明による容器は、最初の位置に向かう第１のパック及び第２のパックの移動を促す正の力を提供する保持手段を含むことができる。
【００２０】
例えば、本発明による容器の第１のパック及び第２のパックは、第１のパック上に設けられた第１の保持手段及び第２のパック上に設けられた第２の保持手段の解放可能な係合によって最初の位置で解放可能に接続することができる。第１の保持手段及び第２の保持手段は、あらゆる適切な公知の磁石式ファスナ、機械式ファスナ、接着式ファスナ、又はそれらの組合せを含むことができる。例えば、第１の保持手段及び第２の保持手段は、１つ又はそれよりも多くの解放可能な圧力作動式マジックテープ式ファスナ、スナップファスナ、又は他の嵌め合わせプラグ（雄）及びソケット（雌）式ファスナを含むことができる。
【００２１】
本発明による容器は、各々が喫煙物品の束、例えば、従来式の着火端部シガレット又は電気式喫煙システムと共に使用するためのシガレット（例えば、ＵＳ−Ａ−５，６９２，５２５に開示された種類のシガレット）のようなシガレット、シガー、又はシガリロを収容するための２つ又はそれよりも多くのヒンジ留め接続されたパックを含むことができる。好ましくは、本発明による容器は、各々がシガレットの個別の束を収容するための２つ又はそれよりも多くのヒンジ留め接続されたパックを含む。
【００２２】
本発明による容器の第１のパック及び第２のパックは、その寸法の適切な選択を通して、異なる数のシガレットの個別の束を収容するように設計することができる。代替的に又は付加的に、本発明による容器の第１のパック及び第２のパックは、異なる寸法のシガレット（例えば、異なる長さ又は異なる周囲長のシガレット）の個別の束を収容するように設計することができる。本発明による容器の第１のパック及び第２のパックは、例えば、異なる数のショート（約７０ｍｍから約７５ｍｍの長さ）、レギュラーサイズ（約８０ｍｍの長さ）、キングサイズ（約８４ｍｍの長さ）、スーパーキングサイズ、スリム、スーパースリム、又はワイドシガレットの個別の束を収容するように設計することができる。
【００２３】
本発明による容器はまた、それらの第１のパック及び第２のパックの寸法の適切な選択を通して、異なる全数の喫煙物品を保持するように設計できる。例えば、本発明によるシガレットのための容器は、組合せて全部で２０又は２１個のレギュラーサイズシガレットを収容するための第１のパック及び第２のパックを含むことができる。代替的に、本発明によるシガレットのための容器は、組合せて全部で１７又は１８個のワイドシガレットを収容するための第１のパック及び第２のパックを含むことができる。
【００２４】
本発明による容器の第１のパック及び第２のパックの長さ、幅、及び深さは、最初の位置では、得られる容器の全体寸法が、喫煙物品の従来型使い捨てパックの寸法と類似又は実質的に同じになるようなものとすることができる。例えば、第１のパック及び第２のパックの長さ、幅、及び深さは、最初又は第１の位置では、得られる容器の全体寸法が、２０個のシガレットの従来型使い捨てヒンジ蓋パックの寸法と同様になるようなものとすることができる。
【００２５】
本発明による容器は、異なる種類の喫煙物品の個別の束を収容するための第１のパック及び第２のパックを有利に含むことができる。広範囲の異なる種類のシガレットが生産されて販売されている。例えば、Ｂｕｒｌｅｙ、Ｏｒｉｅｎｔａｌ、及びＶｉｒｇｉｎｉａタバコのような独特な特徴的風味及び芳香を有する異なる種類のタバコが、単独で又はタバコ配合物における様々な量で使用され、異なる特徴的風味を有するシガレットの銘柄を生み出している。更に、普通のシガレット及び多くの異なる種類のフィルタ先端部を有するシガレットが、異なる長さ（例えば、レギュラーサイズ、キングサイズ、又はスーパーキングサイズ）、周囲長（例えば、スリム、又はスーパースリム）、風味の強さ、吸引抵抗、及び全粒子物質送出量と同様に製造されている。更に、メントールのような香味料を含有するシガレットも入手可能である。
【００２６】
本発明による容器は、タバコ配合物又は香味が異なるシガレットの個別の束を収容するための第１のパック及び第２のパックを含むことができる。代替的に又は付加的に、本発明による容器は、異なるサイズ（異なる長さ、異なる周囲長、又は異なる長さ及び異なる周囲長の両方）のシガレットの個別の束を収容するための第１のパック及び第２のパックを含むことができる。
本発明による容器の第１のパック及び第２のパックは、同じか又は異なる断面のものとすることができる。例えば、本発明による容器の第１のパック及び第２のパックの一方又は両方は、矩形、正方形、三角形、五角形、六角形、Ｄ字形状、半円形、又は半卵形断面とすることができる。
好ましくは、本発明による容器の第１のパック及び第２のパックは、実質的に平行六面体である。より好ましくは、本発明による容器の第１のパック及び第２のパックは、実質的に立方体である。
【００２７】
本発明による容器の第１のパック及び第２のパックは、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はそれらのあらゆる適切な組合せを有することができる。
【００２８】
好ましくは、本発明による容器の第１のパック及び第２のパックは、実質的に同じ形状をしている。本発明による容器の第１のパック及び第２のパックの寸法は、同じか又は異なるとすることができる。好ましくは、本発明による容器の第１のパック及び第２のパックは、寸法が異なる。より好ましくは、本発明による容器の第１のパック及び第２のパックは、実質的に長さと幅が同じであるが、深さが異なるものである。
好ましくは、本発明による容器の第１のパックの第１の壁と第２のパックの第１の壁は、実質的に同じ寸法のものである。
【００２９】
好ましくは、第１のパックの第１の壁と第２のパックの第１の壁は、パックの主要な壁である。好ましくは、第１のパックの第１の壁は、第１のパックの前壁又は後壁である。好ましくは、第２のパックの第１の壁は、第２のパックの前壁又は後壁である。
本発明による容器の第１のパックと第２のパックは、好ましくは、１つ又はそれよりも多くの折り畳んだ積層ブランクから、より好ましくは、１つ又はそれよりも多くの折り畳んだ積層厚紙ブランクから形成される。
【００３０】
本発明による容器の第１のパック、第２のパック、及び個別のコネクタの外面は、製造者又は銘柄ロゴ、商標、スローガン、及び他の消費者情報及び印しを印刷、エンボス加工、デボス加工、又はその他の方法で装飾する（例えば、ラベル又はステッカーを使用して）ことができる。同じか又は異なる製造者又は銘柄ロゴ、商標、スローガン、及び他の消費者情報及び印しは、第１のパック、第２のパック、及び個別のコネクタの外面に付加することができることは認められるであろう。
【００３１】
本発明による容器の個別のコネクタは、以下に限定されるものではないが、板紙、厚紙、プラスチック、金属（例えば、アルミニウムのような）、透明又は不透明な箔（例えば、ポリエチレン（ＰＥ）又はポリエチレンテレフタレート（ＰＥＴ）箔のような）、及び積層材料（例えば、紙／アルミニウム、プラスチック／紙／アルミニウム、又は他の積層体のような）を含む１つ又はそれよりも多くの適切な材料で形成することができる。
【００３２】
本発明による容器は、１つ又はそれよりも多くの窓又は切り欠きを設けた個別のコネクタを含むことができる。好ましい実施形態では、１つ又はそれよりも多くの窓又は切り欠きは、容器の第１のパック、第２のパック、又は第１及び第２のパックの第１の壁上に設けられた画像と相互作用又は協働して更に別の画像を発生させる。
本発明による容器は、２つよりも多いパックを含むことができる。本発明による容器の第３及び後続のパックは、第１のパック及び第２のパックがヒンジ留め接続されたものと同じか又は異なる方法で、容器の１つ又はそれよりも多くの他のパックに接続することができる。
【００３３】
好ましくは、本発明による容器が３つ又はそれよりも多くのパックを含む場合、容器の各パックは、個別のコネクタによって容器の少なくとも１つの他のパックに縄ばしご配列でヒンジ留め接続される。例えば、本発明による容器は、それぞれ２つ、３つ、４つ、又は５つの個別のコネクタによってヒンジ留め接続された３つ、４つ、５つ、又は６つのパックを含むことができ、容器の各パックは、容器のいずれか１つ又は２つの他のパックに縄ばしご配列でヒンジ留め接続される。
本発明を添付図面を参照して単に一例として以下に更に説明する。
【図面の簡単な説明】
【００３４】
【図１】本発明の実施形態による容器の個別のコネクタを形成するためのブランクの内面を示す図である。
【発明を実施するための形態】
【００３５】
図１では、ブランクの外側境界を示すために実線が使用される。破線は、折り目を付ける、刻み目を入れる、エンボス加工する、又は同等の工程によりブランクの材料を圧縮又は部分的に切り離すことによって形成され、かつ容器の組立時にそれに沿ってブランクが曲げられるか又はヒンジとして作用する線を示すために使用される。
図１に示すように、個別のコネクタを形成するためのブランク１０は、対向する第１及び第２の縁部を有する第１の矩形パネル１２と、第１のサブパネル１６及び第２のサブパネル１８を含む第２のパネル１４と、第１のサブパネル２２及び第２のサブパネル２４を含む第３のパネル２０と、第１のサブパネル１６及び第２のサブパネル１８を含む第４のパネル２６とを含む。図１に示すように、第２のパネル１４及び第４のパネル２６の第１のサブパネル１６は、垂直折り畳み線に沿って第１のパネル１２の第１の縁部に接続され、第２のパネル１４及び第４のパネル２６の第２のサブパネル１８は、垂直折り畳み線に沿ってその第１のサブパネル１６に接続される。第３のパネル２０の第１のサブパネル２２は、垂直折り畳み線に沿って、第１の縁部に対向する第１のパネル１２の第２の縁部に接続され、第３のパネル２０の第２のサブパネル２４は、垂直折り畳み線に沿ってその第１のサブパネル２２に接続される。
【００３６】
本発明の実施形態による容器を形成するために、第２のパネル１４及び第４のパネル２６の第１のサブパネル１６と、第３のパネル２０の第１のサブパネル２２とは、垂直折り畳み線の周りに１８０度まで折り畳まれ、それらが第１のパネル１２の上に重なるようにそれらを第１のパネル１２の縁部に接続する。第２のパネル１４及び第４のパネル２６の第２のサブパネル１８と、第３のパネル２０の第２のサブパネル２４とは、垂直折り畳み線の周りで１８０度まで折り畳まれ、第２のパネル１４、第３のパネル２０、及び第４のパネル２６の第２のサブパネル１８、２４、１８が、それらの対応する第１のサブパネル１６、２２、１６の上に重なるように、それらを第２のパネル１４及び第４のパネル２６の第１のサブパネル１６と第３のパネル２０の第１のサブパネル２２とにそれぞれ接続する。容器の形成を完了させるために、第１のパネル１２の外面は、第１のパックの第１の壁に固定され、第２のパネル１４、第３のパネル２０、及び第４のパネル２６の第２のサブパネル１８、２４、１８の内面は、第２のパックの第１の壁に固定される。
【００３７】
１つ又はそれよりも多くの窓又は切り欠き２８は（例えば、図１に破線によって示したように）、任意的に、ブランク１０の第２のパネル１４、第３のパネル２０、及び第４のパネル２６の第１のサブパネル１６、２２に設けることができる。１つ又はそれよりも多くの切り欠き２８は、ブランク１０の第１のパネル１２と、第２のパネル１４、第３のパネル２０、及び第４のパネル２６の第２のサブパネル１８、２４とのうちの一方又は両方に設けられた画像と相互作用又は協働して更に別の画像を発生させることができる。
本発明を２つのヒンジ留め接続されたパックを含む容器に関連して例示したが、本発明による容器が複数の個別のコネクタによってヒンジ留め接続された３つ又はそれよりも多くのパックを含むことができることは認められるであろう。
【符号の説明】
【００３８】
１０  個別のコネクタ
１２  第１のパネル
１４  第２のパネル
２０  第３のパネル
【図１】
2010534165.tif 000003
【国際調査報告】
2010534165.tif 000004
2010534165.tif 000005